(57)【要約】【課題】切手収容トレイに収納されている切手の種別や在庫管理状況等のデータが、外部から常に正確に把握して確認することのでき、同時に、在庫管理データや販売データ等を適時に把握することのできる切手販売システムを提供すること。【解決手段】切手類保管箱２０で、内部に切手を収納し、引き出し自在な切手類収納トレイ２１の外部から目視可能面に電子棚札２２を設ける。【選択図】図１
2009199239.tif 000002
【特許請求の範囲】
【請求項１】
情報を入力する入力部と、
この入力部での入力情報を処理するデータ処理部と、
このデータ処理部での処理結果をデータ伝送する通信手段とを具備した切手販売管理端末と、
前記切手販売管理端末とデータ伝送をおこなう販売管理サーバと、
内部に切手を収納する切手類収納トレイを、引き出し自在に収容するトレイ収納棚が設けられた切手類保管箱とを有し、
前記切手類収納トレイには、前記切手販売管理端末からデータ伝送を受ける電子棚札が外部から目視可能面に配設されていることを特徴とする切手販売システム。
【請求項２】
前記電子棚札は、切手類の販売時の取出枚数、切手類の補充時の受入枚数および通常時の在庫枚数を適宜切り替えて表示することを特徴とする請求項１記載の切手販売システム。
【請求項３】
前記電子棚札は、前記切手類収納トレイに収納されている在庫枚数が予め設定されている発注点以下になった場合に、在庫枚数を点滅表示することを特徴とする請求項１記載の切手販売システム。
【請求項４】
前記電子棚札は、切手販売の際は「取出」を、また、切手補充の際には「受入」を点滅表示することを特徴とする請求項１記載の切手販売システム。
【請求項５】
前記切手類収納トレイの外部から目視可能面に、切手類の見本または現物が表示されていることを特徴とする請求項１記載の切手販売システム。
【請求項６】
前記切手類保管箱の切手類収納トレイに複数種類の切手類を販売または補充する場合、同時に複数の該当する前記電子棚札に販売または補充の情報を表示することを特徴とする請求項１記載の切手販売システム。
【請求項７】
前記切手類収納トレイ毎に設けられる前記電子棚札の全ての表示を最新の状態に更新するためのキーが、前記切手販売管理端末の前記入力部に設けられていることを特徴とする請求項１記載の切手販売システム。
【請求項８】
前記電子棚札は、電子ペーパーから成る表示部を備えていることを特徴とする請求項１記載の切手販売システム。
【請求項９】
前記電子棚札は、前記トレイ収納棚での棚位置を識別するための情報を記憶させるＩＣタグを備えていることを特徴とする請求項１記載の切手販売システム。
【請求項１０】
前記電子棚札は、前記トレイ収納棚から引き出された前記切手類収納トレイが引き出された前記トレイ収納棚以外のトレイ収納棚に戻された場合には、収納する棚位置が異なることを点滅表示することを特徴とする請求項９記載の切手販売システム。
【発明の詳細な説明】
【技術分野】
【０００１】
本発明は、切手を収納した切手収容トレイの切手の種別や在庫状況等が切手収容トレイごとに目視確認可能に形成されていると共に、在庫管理データや販売データ等を適時に把握することのできる切手販売システムに関する。
【背景技術】
【０００２】
郵便局の郵便窓口業務では、内外郵便料金計算、切手類の販売・交換、郵便証紙の発行、各種郵便（例えば、書類郵便，別納郵便，後納郵便，国際郵便）の引受け等の多岐にわたる業務がおこなわれている。また、窓口後方で行われる後方業務では、窓口業務処理状況の集計・管理事務、切手類の補充請求書の作成や各種統計資料（例えば、切手類販売累計表，各種郵便物の引受日計簿，各種郵便物の引受月計簿，各種郵便物の引受年計簿等）の作成が行なわれている。
【０００３】
これら業務の殆どは、個別的な専用事務機の利用および手作業によって行われている場合が多い。
【０００４】
例えば、切手類の販売に伴う現物管理は、通常、複数の引き出しが縦方向に設けられているレターケース状の切手類保管箱で保管管理されている。切手類保管箱は、シート状切手類を種別ごとに収納している引き出し状の切手収容トレイが複数個、一つのトレイ収納棚に収納されている構造である。この切手類保管箱を用いて管理対象の切手類の現物管理は手作業によりおこなわれている。また、売り上げデータや出納等のデータや切手収容トレイ内の切手の在庫管理データ等のデータ管理は、郵便窓口用の事務処理装置（切手販売管理端末）によっておこなわれている。
【０００５】
データ管理をおこなう事務処理装置では、販売された切手や、切手収容トレイ内の切手についての管理データ情報入手は、切手自体に付与されたバーコードの情報（例えば、特許文献１および２を参照）や、同様に切手に付与されたＲＦＩＤ（Ｒａｄｉｏ  ｆｒｅｑｕｅｎｃｙ＝無線周波数  ＩＤ）チップからの情報（例えば、特許文献３を参照）を、それぞれリーダーで読取ることにより入手する方法が知られている。
【０００６】
また、データ管理をおこなう事務処理装置において、販売された切手や、切手収容トレイ内の切手についてのデータ情報入手は、切手収容トレイ内の切手に対応するように切手収容トレイを収納するトレイ収納棚に設けられた表示手段により目視によって入手する方法も知られている。（例えば、特許文献４および５を参照）
なお、この明細書で言う“切手”には、“郵便切手”の他に“収入印紙”および“特許印紙”等も含まれる。
【特許文献１】特開平１０−１６２１８６号公報
【特許文献２】特開平１１−２３２３４６号公報
【特許文献３】特開２００１−３４４６４号公報
【特許文献４】特開平１１−２８３１０２号公報
【特許文献５】特開平１１−２８２９０２号公報
【発明の開示】
【発明が解決しようとする課題】
【０００７】
上述のように郵便窓口用の事務処理装置（切手販売管理端末）が取り扱える切手が、特許文献１乃至３に示されているように、切手自体にバーコードやＲＦＩＤチップが付与されているものを前提としている場合は、一般に流通している通常の切手は取り扱うことができない。
【０００８】
また、郵便窓口事務処理器における販売された切手や、切手収容トレイ内の切手についてのデータ情報入手を、特許文献４および５に示されているような、切手収容トレイ内の切手に対応するように、切手収容トレイを収納するトレイ収納棚に設けられた表示手段により目視によって入手する場合は、窓口担当者の誤動作等によるエラーが生じやすく、恒常的に正確な在庫管理を行なうことが困難である。
【０００９】
すなわち、通常、窓口担当者は、顧客の注文に応じてトレイ収納棚に切手の種別ごとに対応した複数の切手収容トレイの中から該当する切手収容トレイを見極め、切手収容トレイを引き出して、内部に収納されている切手シートを取り出す。取り出した切手シートを、切手の列方向ミシン目および行方向ミシン目を境に顧客が希望した枚数の切手を引き千切る。しかる後に、当該切手収容トレイをトレイ収納棚に閉めて収めてから、当該切手を顧客に手渡して販売を行なっている。
【００１０】
その際、例えば、顧客が複数種類の切手を同時に注文した場合、窓口担当者は、顧客の注文した複数種類の切手に対応した、複数種類の切手収容トレイを全部同時に引き出してしまうことがある。顧客への切手の販売が終了後に切手収容トレイをトレイ収納棚に戻す際に、誤って、トレイ収納棚の収納位置を間違えて切手収容トレイを収納してしまう場合が生じる。その場合、収納トレイに収納されている切手の内容とトレイ収納棚に設けられた表示手段で表示されている切手の内容とが不一致になってしまうことになる。したがって、その状態で業務を続けると以後の業務に重大な支障を及ぼすことになる。
【００１１】
本発明はこれらの事情にもとづいてなされたもので、切手収容トレイに収納されている切手の種別や在庫管理状況等のデータが、外部から常に正確に把握して確認することができ、同時に、在庫管理データや販売データ等を適時に把握することのできる切手販売システムを提供することを目的としている。
【課題を解決するための手段】
【００１２】
本発明の一態様によれば、情報を入力する入力部と、この入力部での入力情報を処理するデータ処理部と、このデータ処理部での処理結果をデータ伝送する通信手段とを具備した切手販売管理端末と、
前記切手販売管理端末とデータ伝送をおこなう販売管理サーバと、
内部に切手を収納する切手類収納トレイを、引き出し自在に収容するトレイ収納棚が設けられた切手類保管箱とを有し、
前記切手類収納トレイには、前記切手販売管理端末からデータ伝送を受ける電子棚札が外部から目視可能面に配設されていることを特徴とする切手販売システムが提供される。
【００１３】
本発明の切手販売システムにおいては、前記電子棚札は、切手類の販売時の取出枚数、切手類の補充時の受入枚数および通常時の在庫枚数を適宜切り替えて表示することを特徴とする。
【００１４】
本発明の切手販売システムにおいては、前記電子棚札は、前記切手類収納トレイに収納されている在庫枚数が予め設定されている発注点以下になった場合に、在庫枚数を点滅表示することを特徴とする。
【００１５】
本発明の切手販売システムにおいては、前記電子棚札は、切手販売の際は「取出」を、また、切手補充の際には「受入」を点滅表示することを特徴とする。
【００１６】
本発明の切手販売システムにおいては、前記切手類収納トレイの外部から目視可能面に、切手類の見本または現物が表示されていることを特徴とする。
【００１７】
本発明の切手販売システムにおいては、前記切手類保管箱の切手類収納トレイに複数種類の切手類を販売または補充する場合、同時に複数の該当する前記電子棚札に販売または補充の情報を表示することを特徴とする。
【００１８】
本発明の切手販売システムにおいては、前記切手類収納トレイ毎に設けられている前記電子棚札の全ての表示を最新の状態に更新するためのキーが、前記切手販売管理端末の前記入力部に設けられていることを特徴とする。
【発明の効果】
【００１９】
本発明によれば、切手収容トレイに収納されている切手の種別や在庫管理状況等のデータが、外部から常に正確に把握して確認することのでき、同時に、在庫管理データや販売データ等を適時に把握することのできる切手販売システムを提供することができる。
【発明を実施するための最良の形態】
【００２０】
以下、本発明の実施態様について、図面を参照しながら説明する。なお、各図において同一個所については同一符号を付すとともに、重複した説明を省略する。
【００２１】
図１（ａ）は、切手販売システム１の構成を示す模式概観図で、図１（ｂ）は、図１（ａ）におけるＡ部の部分拡大図である。また、図２は、切手販売システム１の構成を示すブロック図である。
【００２２】
図１（ａ）、図１（ｂ）および図２に示したように、切手販売システム１は、切手販売管理端末１０がネットワーク２により販売管理サーバ３に接続されている。また、切手販売管理端末１０は、有線通信手段４により送受信機５に接続されている。この送受信機５は、無線通信手段６により切手類保管箱２０に対して無線通信可能に配設されている。この場合、切手販売管理端末１０と切手類保管箱２０とが所定距離以上に離間しており、両者は密接又は近接していない状態の配置関係となっている。
【００２３】
切手販売管理端末１０は、内部に設けられた通信制御部１１がネットワーク２により販売管理サーバ３に接続されており、この通信制御部１１にバスライン１２が接続して設けられている。このバスライン１２には、通信制御部１１の他に、管理データ処理部としてＣＰＵ１３およびメモリ１４、管理ファイルとしてＨＤＤ１５、入力部１６、表示部１７および送受信機制御部１８がそれぞれ接続されている。
【００２４】
ＣＰＵ１３は、切手販売管理端末１０の各部の演算等をおこなう。
【００２５】
メモリ１４は、ＨＤＤ１５とのプログラムや各種データの読み書き、入力部１６からのデータの読み出し、表示部１７に対するデータの書き込み、通信制御部１１とのデータの読み書き、および送受信機制御部１８とのデータの読み書き等の際に用いられる。
【００２６】
ＨＤＤ１５は、切手販売管理端末１０が切手類の販売および補充等の各種業務等を実行するための各種プログラムや各種データと、切手類保管箱２０の各種切手類の理論在庫枚数や販売および補充履歴等の各種データと、後述する切手収容トレイに設けられている連動するすべての電子棚札の切手類設定情報や表示状態等の各種データを記録する管理ファイルが記録されている。
【００２７】
入力部１６は、特に詳細は図示しないが、テンキーの他に、「業務選択」キー、「数値入力」キーおよび「表示更新」キー等を具備し、窓口担当者が業務に対応して各種情報をキー入力する。なお、「表示更新」キーは、切手類保管箱２０の後述する切手類収納トレイ２１毎に設けられている電子棚札２２の全ての表示を、最新の状態に更新するためのキーである。また、「業務選択」キーは、切手類保管箱２０での切手の取り出しや補充の業務を選択するキーである。
【００２８】
表示部１７はディスプレイ画面で、ＨＤＤ１５に記録される各種プログラムの制御によって、業務選択メニューや各種業務メニュー等を表示する。
【００２９】
通信制御部１１は、ＨＤＤ１５に記録される各種プログラムの制御によって、ネットワーク２を介して、販売管理サーバ３とのデータの送受信を行う。
【００３０】
送受信機制御部１８は、有線通信手段４を介して送受信機５を制御する。
【００３１】
販売管理サーバ３は、切手販売管理端末１０とネットワーク２を介してデータの転送を行なう。なお、販売管理サーバ３にはネットワーク２を介して複数の切手販売管理端末１０が接続されている場合もある。
【００３２】
送受信機５は、切手販売管理端末１０から制御データを受信し、切手類収納トレイ２１に設けられている連動するすべての電子棚札２２に対して制御データを送信する。つまり、送受信機５は、有線通信手段４を介して切手販売管理端末１０からの制御データを入手する。送受信機５は、無線通信手段６（電波等）を介して、入手した制御データを所定の切手類収納トレイ２１の電子棚札２２に転送する。
【００３３】
切手類保管箱２０はレターケース状の形状で、複数の引き出し形の切手類収納トレイ２１が複数個、トレイ収納棚２３に縦方向に一列又複数列に収納されている構造となっている。切手類収納トレイ２１の内部には、シート状切手類を種別ごとに収納している。
【００３４】
なお、トレイ収納棚２３には、夜間や休日等の盗難防止のために、切手類収納トレイ２１を収納する個所ごとにソレノイド（図示しない）を設けることができる。窓口担当者が各ソレノイドに通電信号を送って、切手類収納トレイ２１を開放阻止状態および開放許可状態のいずれかに選択切替可能なフック等を含むロック機構を作動させる。窓口担当者が、切手類収納トレイ２１を開放許可状態つまり切手類収納トレイ２１を手動で引き出す（開放する）ことができる状態に切替えることができるようにしてもよい。
【００３５】
また、図３に一部切欠外観図を、また、図１（ｂ）に示したように切手類収納トレイ２１の前面の部位（切手類収納トレイ２１をトレイ収納棚２３に収納した際に、外部から見える部位）には、電子的な表示部２８を有する電子棚札２２と、この電子棚札２２の所定個所に設けられている挿入孔（図示しない）に収納された切手類の見本２４Ａまたは現物２４Ｂが配置されている。
【００３６】
なお、図４に示したように、電子棚札２２の所定箇所への切手類の見本２４Ａまたは現物２４Ｂの収納は、透明フィルム２４Ｃを折り線２４ｄで折りたたみ、折りたたんだ内部に切手類（切手類の見本２４Ａまたは現物２４Ｂ）を挟み込む。その状態で、矢印Ａで示した方向に電子棚札２２に設けられている挿入孔（図示しない）に差し込めばよい。
【００３７】
電子棚札２２は、設定により種々の表示をおこなうことができる。例えば、図５に外観図を示したように、切手類の販売時の際には、取出枚数とその状態を表示部２８に「取出」を表示した状態を示す。また、図６に外観図を示したように、切手類の補充時の際には、受入枚数その状態を表示部２８に「受入」とした状態を示す。なお、電子棚札２２は、図２に外観図を示したように通常時の在庫枚数の表示等を適宜切り替えて目視可能に表示している。
【００３８】
更に、切手の在庫管理の観点から、切手類収納トレイ２１に収納されている在庫枚数が予め設定している発注点以下になった場合には、電子棚札２２に在庫枚数を点滅させた表示を行なうようにして、窓口担当者への切手補充の喚起を行なうようにしている。
【００３９】
電子棚札２２の構成について、その一例を図７にブロック図で示す。図７に示すように、電子棚札２２は、制御部２５と、棚位置ＩＣタグ部２６と、Ｉ／Ｆ部２７と、表示部２８とを有する。Ｉ／Ｆ部２７は、切手販売管理端末１０から送受信機５を介して情報を受け取って制御部２５へ受け渡す。表示部２８は、Ｉ／Ｆ部２７から受け渡された情報を表示する。この表示部２８は、例えば電子ペーパー（電子シート）で構成されているが、これに限らず、液晶ディスプレイやセグメント表示器など、薄型・軽量の表示装置であれば何れであってもよく、特に限定されない。
【００４０】
なお、電子ペーパーは、例えば、厚さが２００μｍ〜３００μｍと薄く、紙のように柔軟性を備え、２枚のプラスチック膜の間に、複写機に使用されるようなトナーを封じ込め、数ボルト〜１０ボルト程度の電圧（電界）を印加することにより、トナーが吸着／離着して色が変化するものである。
【００４１】
制御部２５は、電子棚札２２全体の制御をつかさどる制御部である。制御部２５は、切手販売管理端末１０から送受信機５を介して情報を受け取り、表示部２８に表示させる制御を行う。
【００４２】
なお、棚位置ＩＣタグ部２６は、ＩＣ部２６ａと、アンテナ部２６ｂとをさらに有している。ＩＣ部２６ａは、小型のＩＣチップであり、棚位置ＩＣタグ情報が記憶されている。この棚位置ＩＣタグ情報は、トレイ収納棚２３での棚位置を識別するための情報である。また、ＩＣ部２６ａには、棚位置ＩＣタグ情報を切手販売管理端末１０へ送信するためのアンテナ部２６ｂが接続されている。それにより、電子棚札２２を付けた切手類収納トレイ２１が、トレイ収納棚２３から複数引き出された場合にも、トレイ収納棚２３に戻した際に所定の棚位置に切手類収納トレイ２１が戻っているか否かを確認することができる。トレイ収納棚２３から引き出された切手類収納トレイ２１が引き出されたトレイ収納棚２３以外のトレイ収納棚２３に戻された場合には、収納する棚位置が異なることを点滅表示させることも好適である。
【００４３】
これらの構成による切手販売システム１では、顧客の購入希望に応じて窓口担当者が顧客の所望した切手を所望枚数販売した際に、切手販売情報も切手販売管理端末１０で管理される。
【００４４】
その際の切手販売情報は、切手の“金額および枚数”，“種類と枚数”あるいは“何（例えば、１０００）円分”の如きもので、顧客希望の購入条件（対象）を満たすことのできる情報である。
【００４５】
以下に、最も一般的な“金額および枚数”の場合について説明する。まず、窓口担当者は、同一顧客に対する複数種類の切手販売情報を入力部１６により入力する。
【００４６】
その後、当該顧客についての取引き終了の操作である転送指令を入力部１６により入力する。
【００４７】
これらの入力により、管理データ処理部（ＣＰＵ１３，メモリ１４）が、当該切手販売情報を管理ファイル（ＨＤＤ１５）に記憶（管理）する。なお、管理は、例えば、窓口担当者ごとに累計され、さらには切手の金額（種類）ごとに累計される。
【００４８】
その後、管理データ処理部（ＣＰＵ１３，メモリ１４）が、ＩＤファイルを検索し、かつ、当該各切手販売情報（金額）の切手７を収容した切手類収納トレイ２１を指定するための切手類収納トレイ２１のＩＤを付した当該各切手販売情報（表示信号）を電子棚札２２へ出力（送信）する。それにより、電子棚札２２の表示する切手類収納トレイ２１の収納している切手の在庫枚数の表示が、実際の在庫枚数に表示変更される。
【００４９】
一方、切手類収納トレイ２１へ切手シートを補充した際には、窓口担当者が入力部１６を用いて入力した補充枚数が、電子棚札２２へ出力（送信）されて切手の在庫枚数の表示が実際の在庫枚数に表示変更される。
【００５０】
上記に説明したように、この実施形態によれば、切手販売管理端末１０とデータ伝送が行われている切手類保管箱２０の切手類収納トレイ２１ごとに、収納切手の表示とともに電子棚札２２による収納されている切手の情報が目視可能に表示されている。それにより、顧客が希望する金額の切手が収容された切手類収納トレイ２１の見極めと、販売可能枚数か否か等を迅速かつ正確に行える。したがって、切手販売事務能率を大幅に向上することができる。
【００５１】
しかも、切手類収納トレイ２１の前面に設けられている電子棚札２２の表示により、窓口担当者は、切手類の販売枚数、補充枚数、さらには理論在庫枚数を認知することが可能である。それにより、販売や補充時の切手類収納トレイ２１内の切手情報についての間違いによる誤算を防ぐことが期待できる。
【００５２】
また、切手類収納トレイ２１の内部の切手の残存枚数が発注点に到達した場合の認知が容易となるので、補充作業が容易となるとともに、切手の欠品による販売機会のロスを防ぐことが期待でき、販売収益を低下させることを防止できる。
【００５３】
また、切手類収納トレイ２１の電子棚札２２が、販売の際には「取出」を、また、補充の際には「受入」を点滅表示すると共に枚数を表示するので、窓口担当者は、販売あるいは補充の対象となる切手類収納トレイ２１を容易に認識することが可能で、しかも枚数の出し入れを間違いなく行なうことができる。
【００５４】
また、切手類収納トレイ２１の電子棚札２２に、切手類の見本２４Ａまたは現物２４Ｂを表示することにより、電子棚札２２の電池が切れた場合等のシステム故障時においても、切手類の引き出しを比較的容易に認知することが期待できる。しかも、切手類の見本または現物を明示することにより、切手類収納トレイ２１と電子棚札２２の設定相違等を容易に検知することができる。
【００５５】
また、切手類の見本または現物を表示されていると共に、電子棚札２２によって切手類収納トレイ２１の内部の切手の情報が表示されているので、複数種類の切手類を販売または補充する場合に、切手の種類ごとに切手販売管理端末１０と切手類保管箱２０とを行き来する必要がなく、かつ、メモ書き等を用いる必要がなくなることにより手間が省けるため、業務効率の向上を期待できる。
【００５６】
また、窓口担当者が切手の在庫状況について最新の状態を確認したいときに、切手販売管理端末１０の「表示更新」キーを押下することにより、ただちに電子棚札２２の情報を表示更新して確認することができるので、窓口担当者は記憶違いなどのない間違いのない業務を遂行することができる。
【００５７】
次に、第２の実施形態について説明する。
【００５８】
図８は、第２の実施形態を示す切手販売システム１の構成を示すブロック図である。なお、図１と同一機能個所には同一符号を付してその個々の説明を省略する。
【００５９】
第２の実施形態では、切手販売管理端末１０と切手類保管箱２０とが近接にある状態に配置されている。したがって、切手販売管理端末１０と切手類保管箱２０の切手類収納トレイ２１に設けられた電子棚札２２とのデータ伝送は、第１の実施形態のように送受信機５を介さずに、直接的に無線回線６Ａで行なっている。無線回線６Ａには、例えばブルートゥース等を用いてデータ伝送を行なっている。したがって、切手販売管理端末１０と電子棚札２２には、ブルートゥース等に用いる送信部（図示しない）と受信部（図示しない）がそれぞれに設けられている。
【００６０】
この第２の実施形態によっても、第１の実施形態と同様の作用効果を奏することができる。
【００６１】
また、いずれの実施形態においても、上述した機能に加え、さらに以下の機能を付加することができる。
【００６２】
複数種類の切手類を販売または補充する場合、窓口担当者が切手販売管理端末１０によって当該の切手類の種類および枚数を入力する。切手販売管理端末１０は、入力された複数の切手類の電子棚札２２に対して、「取出」または「受入」の点滅表示と指定枚数の表示を指示することにより、同時に複数の引き出しの電子棚札２２に表示をさせる。
【００６３】
また、切手類収納トレイ２１の電子棚札２２と切手販売管理端末１０とは無線によって通信を行うために赤外線等の手段を用いた場合は、人体等により遮断されて際に通信が遮断されて情報を確実に更新できないことが考えられる。このため、切手販売管理端末１０に「表示更新」キーを設けて、当該キーを押下することにより、管理対象とするすべての電子棚札２２の表示を更新する機能を備える。
【００６４】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６５】
【図１】図１（ａ）は、本発明の切手販売システムの構成を示す模式概観図、図１（ｂ）は、図１（ａ）におけるＡ部の部分拡大図である。
【図２】本発明の切手販売システムの構成を示すブロック図である。
【図３】本発明の切手販売システムに用いる切手類収納トレイの一部切欠外観図である。
【図４】本発明の切手販売システムに用いる切手類収納トレイの電子棚札の所定個所への切手類の見本または現物の収納の説明図である。
【図５】本発明の切手販売システムに用いる切手類収納トレイの電子棚札の説明図である。
【図６】本発明の切手販売システムに用いる切手類収納トレイの電子棚札の説明図である。
【図７】本発明の切手販売システムに用いる切手類収納トレイの電子棚札のブロック図である。
【図８】本発明の切手販売システムの別の実施形態の構成を示すブロック図である。
【符号の説明】
【００６６】
１…切手販売システム、２…ネットワーク、３…販売管理サーバ、４…有線通信手段、５…送受信機、６…無線通信手段、１０…切手販売管理端末、１１…通信制御部、１２…バスライン、１３…ＣＰＵ、１４…メモリ、１５…ＨＤＤ、１６…入力部、１７…表示部、１８…送受信機制御部、２０…切手類保管箱、２１…切手類収納トレイ、２２…電子棚札、２３…トレイ収納棚、２４Ａ…見本、２４Ｂ…現物、２８…表示部。
【図１】
2009199239.tif 000003
【図２】
2009199239.tif 000004
【図３】
2009199239.tif 000005
【図４】
2009199239.tif 000006
【図５】
2009199239.tif 000007
【図６】
2009199239.tif 000008
【図７】
2009199239.tif 000009
【図８】
2009199239.tif 000010